(57)【要約】【課題】安全性が高く、低コストでコーヒーリング現象を抑制することのできる微粒子乾燥パターンの形成方法の提供。【解決手段】（ｉ）微粒子と溶媒と糖とを含み、前記糖の濃度が、１００ｍＭ以上である、微粒子懸濁液を製造する工程と、（ｉｉ）前記微粒子懸濁液を塗布対象物に塗布する工程と、（ｉｉｉ）前記塗布された微粒子懸濁液を乾燥させる工程と、を有する、コーヒーリング現象が抑制された微粒子乾燥パターンの形成方法。【選択図】図１
2020143203.tif 000002
【特許請求の範囲】
【請求項１】
（ｉ）微粒子と溶媒と糖とを含み、前記糖の濃度が、１００ｍＭ以上である、微粒子懸濁液を製造する工程と、
（ｉｉ）前記微粒子懸濁液を塗布対象物に塗布する工程と、
（ｉｉｉ）前記塗布された微粒子懸濁液を乾燥させる工程と、を有する、
コーヒーリング現象が抑制された微粒子乾燥パターンの形成方法。
【請求項２】
前記糖が、単糖又は二糖を含む、請求項１に記載のコーヒーリング現象が抑制された微粒子乾燥パターンの形成方法。
【請求項３】
前記糖が、グルコース、フルクトース、及びスクロースからなる群から選ばれる一種以上を含む、請求項１又は２に記載のコーヒーリング現象が抑制された微粒子乾燥パターンの形成方法。
【請求項４】
前記微粒子懸濁液がインク組成物である、請求項１〜３のいずれか一項に記載のコーヒーリング現象が抑制された微粒子乾燥パターンの形成方法。
【請求項５】
微粒子と溶媒と糖とを含み、前記糖の濃度が、１００ｍＭ以上である、コーヒーリング現象が抑制された微粒子乾燥パターンを形成するための微粒子懸濁液。
【請求項６】
微粒子懸濁液を塗布対象物に塗布する工程と、前記塗布された微粒子懸濁液を乾燥させる工程とを含む、微粒子乾燥パターンの形成方法において、前記微粒子乾燥パターンにおけるコーヒーリング現象を抑制する方法であって、
前記微粒子懸濁液が１００ｍＭ以上の糖を含有するように調製する工程を含む、
微粒子乾燥パターンにおけるコーヒーリング現象を抑制する方法。
【発明の詳細な説明】
【技術分野】
【０００１】
本発明は、コーヒーリング現象が抑制された微粒子乾燥パターンの形成方法、コーヒーリング現象が抑制された微粒子乾燥パターンを形成するための微粒子懸濁液、及び、微粒子乾燥パターンにおけるコーヒーリング現象を抑制する方法に関する。
【背景技術】
【０００２】
コーヒーリング現象とは、液滴の外縁付近での蒸発速度が中心付近に比べて速いために液滴中心付近から外縁方向への流れが生じ、その流れが液滴内部の微粒子を液滴の外縁に運び、結果としてリング状のシミが形成される現象である。
このコーヒーリング現象は、インクジェットプリンターのインクの乾燥過程でも同様にみられ、プリンターの解像度の低下等の問題があった。また、電子回路の基板のプリントの際にも、粒子が不均一に塗布され、伝導に問題を与える場合があった。
【０００３】
そのため、従来、微粒子懸濁液に界面活性剤を添加すること、微粒子の形状を制御すること、特殊な塗布装置又は塗布方法を用いること等によって改善を図っていた。
例えば、特許文献１では、塗布装置を用いて基板上に膜液を吐出する膜液吐出工程と、前記膜液吐出工程を終えて前記基板上に形成された流動性を有する塗布膜を乾燥する塗布膜乾燥工程とを備えた塗布膜形成乾燥方法が記載されている。前記塗布カム形成乾燥方法では、前記膜液吐出工程で、前記塗布装置としてインクジェット塗布装置を用いると共に、前記塗布膜乾燥工程で、前記インクジェット塗布装置による膜液の吐出を終えて基板上に形成された流動性を有する塗布膜を１０℃〜４０℃の温度雰囲気中で減圧乾燥することが提案されており、これによりコーヒーリング現象が生じる事態を有効に回避することができるとされている。
【先行技術文献】
【特許文献】
【０００４】
【特許文献１】特開２０１５−１６０１７６号公報
【発明の概要】
【発明が解決しようとする課題】
【０００５】
しかしながら上述したような従来の方法では、微粒子懸濁液に界面活性剤を添加することについては、安全性に懸念があり、微粒子の形状を制御すること、特殊な塗布装置又は塗布方法を用いることについては、高い技術が必要であること、コストがかかること等の問題がある。
【０００６】
本発明は上記事情に鑑みてなされたものであり、安全性が高く、低コストでコーヒーリング現象を抑制することのできる微粒子乾燥パターンの形成方法を提供することを課題とする。
【課題を解決するための手段】
【０００７】
上記の課題を解決するために、本発明は以下の構成を採用した。
すなわち、本発明の第１の態様は、（ｉ）微粒子と溶媒と糖とを含み、前記糖の濃度が、１００ｍＭ以上である、微粒子懸濁液を製造する工程と、（ｉｉ）前記微粒子懸濁液を塗布対象物に塗布する工程と、（ｉｉｉ）前記塗布された微粒子懸濁液を乾燥させる工程と、を有する、コーヒーリング現象が抑制された微粒子乾燥パターンの形成方法である。
本発明の第１の態様において、前記糖が、単糖又は二糖を含むことが好ましい。
本発明の第１の態様において、前記糖が、グルコース、フルクトース、及びスクロースからなる群から選ばれる一種以上を含むことが好ましい。
本発明の第１の態様において、前記微粒子懸濁液がインク組成物であることが好ましい。
【０００８】
本発明の第２の態様は、微粒子と溶媒と糖とを含み、前記糖の濃度が、１００ｍＭ以上である、コーヒーリング現象が抑制された微粒子乾燥パターンを形成するための微粒子懸濁液である。
【０００９】
本発明の第３の態様は、微粒子懸濁液を塗布対象物に塗布する工程と、前記塗布された微粒子懸濁液を乾燥させる工程とを含む、微粒子乾燥パターンの形成方法において、前記微粒子乾燥パターンにおけるコーヒーリング現象を抑制する方法であって、前記微粒子懸濁液が１００ｍＭ以上の糖を含有するように調製する工程を含む、微粒子乾燥パターンにおけるコーヒーリング現象を抑制する方法である。
【発明の効果】
【００１０】
本発明によれば、安全性が高く、低コストでコーヒーリング現象を抑制することができる。
【図面の簡単な説明】
【００１１】
【図１】（ａ）コーヒー粉末と水とを含む微粒子懸濁液の乾燥パターンの拡大画像。（ｂ）コーヒー粉末と水と糖とを含む微粒子懸濁液の乾燥パターンの拡大画像。（ｃ）蛍光ポリスチレン粒子と水とを含む微粒子懸濁液の乾燥パターンの拡大画像。（ｄ）蛍光ポリスチレン粒子と水と糖とを含む微粒子懸濁液の乾燥パターンの拡大画像。
【図２】蛍光ポリスチレン粒子と水と糖とを含む微粒子懸濁液において糖濃度を変化させたときの乾燥パターンの変化を示す拡大画像。
【発明を実施するための形態】
【００１２】
（コーヒーリング現象が抑制された微粒子乾燥パターンの形成方法）
本発明の第１の態様は、（ｉ）微粒子と溶媒と糖とを含み、前記糖の濃度が、１００ｍＭ以上である、微粒子懸濁液を製造する工程（以下、工程（ｉ）ともいう）と、（ｉｉ）前記微粒子懸濁液を塗布対象物に塗布する工程（以下、工程（ｉｉ）ともいう）と、（ｉｉｉ）前記塗布された微粒子懸濁液を乾燥させる工程（以下、工程（ｉｉｉ）ともいう）と、を有する、コーヒーリング現象が抑制された微粒子乾燥パターンの形成方法である。
【００１３】
［工程（ｉ）］
工程（ｉ）は、微粒子と溶媒と糖とを含み、前記糖の濃度が、１００ｍＭ以上である、微粒子懸濁液を製造する工程である。
【００１４】
＜微粒子＞
本実施形態における微粒子は、平均一次粒子径が、１０μｍ以下の粒子である。
平均一次粒子径の測定は、例えば、公知のレーザー回折式粒度分布測定装置等で測定することができる。
微粒子としては、有機微粒子及び無機微粒子のいずれをも用いることができる。
【００１５】
≪有機微粒子≫
有機微粒子としては、例えば、乳化重合、マイクロエマルジョン系重合、ソープフリー重合、シード重合、分散重合、懸濁重合などにより得られるポリマー微粒子（例えば、ポリエチレン、ポリプロピレン、ポリスチレン、ポリアクリレート、ポリアミド、シリコーン樹脂、フェノール樹脂、天然高分子等の粉末、ラテックス又はエマルジョン状のポリマー微粒子）、有機顔料（例えば、アゾレーキ、不溶性アゾ顔料、縮合アゾ顔料、キレートアゾ顔料、フタロシアニン顔料、ペリレン顔料、ペリノン顔料、キナクリドン顔料、チオインジゴ顔料、イソインドリノン顔料、キノフラロン顔料、ジオキサジン顔料、アントラキノン顔料、ニトロ顔料、ニトロソ顔料、アニリンブラック等）、粉末状食品（コーヒ−粉末、茶粉末等）等が挙げられる。
【００１６】
≪無機微粒子≫
無機微粒子としては、無機顔料（例えば、酸化チタン、硫酸バリウム、炭酸カルシウム、酸化鉄、酸化亜鉛、酸化マグネシウム、鉛白、カーボンブラック、カドミウム赤、黄鉛、群青、コバルト青、コバルト紫、ジンクロメート等）、金属粒子（銅、銀、金、ニッケル、パラジウム、白金、コバルト等）、シリカ等が挙げられる。
【００１７】
上記無機微粒子の具体例としては、インクに使用される顔料が挙げられる。
ホワイトインクに使用される顔料としては、Ｃ．Ｉ．ピグメントホワイト６、１８、２１等が挙げられる。
イエローインクに使用される顔料としては、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
マゼンタインクに使用される顔料としては、Ｃ．Ｉ．ピグメントレッド１、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントバイオレット１９、２３、３２、３３、３６、３８、４３、５０等が挙げられる。
シアンインクに使用される顔料としては、Ｃ．Ｉ．ピグメントブルー１、２、３、１５、１６、１８、２２、２５、６０、６５、６６、Ｃ．Ｉ．バットブルー４、６０が挙げられる。
また、上記以外の顔料としては、例えば、Ｃ．Ｉ．ピグメントグリーン７，１０、Ｃ．Ｉ．ピグメントブラウン３，５，２５，２６、Ｃ．Ｉ．ピグメントオレンジ１，２，５，７，１３，１４，１５，１６，２４，３４，３６，３８，４０，４３，６３等が挙げられる。
【００１８】
＜溶媒＞
本実施形態における溶媒としては、水、有機溶剤、それらの混合溶媒等が挙げられる。
有機溶剤としては、エステル系溶剤、ケトン系溶剤、エーテル系溶剤、アルコール系溶剤、ニトリル系溶剤、アミド系溶剤、スルホキシド系溶剤、フッ素系不活性液体、炭化水素系溶剤、シリコーン系溶剤等が挙げられる。
【００１９】
≪エステル系溶剤≫
エステル系溶剤は、構造中に（−Ｃ（＝Ｏ）−Ｏ−）を含む有機溶剤である。
エステル系溶剤としては、例えば、酢酸メチル、酢酸エチル、酢酸プロピル、酢酸イソプロピル、酢酸ブチル、酢酸アミル、酢酸イソアミル、メトキシ酢酸エチル、エトキシ酢酸エチル、酢酸２−メトキシブチル（２−メトキシブチルアセテート）、酢酸３−メトキシブチル（３−メトキシブチルアセテート）、酢酸４−メトキシブチル（４−メトキシブチルアセテート）、酢酸３−メトキシ−３−メチルブチル（３−メトキシ−３−メチルブチルアセテート）、酢酸３−エチル−３−メトキシブチル（３−エチル−３−メトキシブチルアセテート）、エチレングリコールモノエチルエーテルアセテート、エチレングリコールモノプロピルエーテルアセテート、エチレングリコールモノブチルエーテルアセテート、エチレングリコールモノフェニルエーテルアセテート、ジエチレングリコールモノメチルエーテルアセテート、ジエチレングリコールモノエチルエーテルアセテート、ジエチレングリコールモノプロピルエーテルアセテート、ジエチレングリコールモノブチルエーテルアセテート、ジエチレングリコールモノフェニルエーテルアセテート、プロピレングリコールモノメチルエーテルアセテート（ＰＧＭＥＡ）、プロピレングリコールモノエチルエーテルアセテート、プロピレングリコールモノプロピルエーテルアセテート、２−エトキシブチルアセテート、４−エトキシブチルアセテート、４−プロポキシブチルアセテート、２−メトキシペンチルアセテート、３−メトキシペンチルアセテート、４−メトキシペンチルアセテート、２−メチル−３−メトキシペンチルアセテート、３−メチル−３−メトキシペンチルアセテート、３−メチル−４−メトキシペンチルアセテート、４−メチル−４−メトキシペンチルアセテート、プロピレングリコールジアセテート、蟻酸メチル、蟻酸エチル、蟻酸プロピル、蟻酸ブチル、乳酸エチル（ＥＬ）、乳酸プロピル、乳酸ブチル、炭酸エチル、炭酸プロピル、炭酸ブチル、ピルビン酸メチル、ピルビン酸エチル、ピルビン酸プロピル、ピルビン酸ブチル、アセト酢酸メチル、アセト酢酸エチル、プロピオン酸メチル、プロピオン酸エチル、プロピオン酸プロピル、プロピオン酸イソプロピル、２−ヒドロキシプロピオン酸メチル、２−ヒドロキシプロピオン酸エチル、メチル−３−メトキシプロピオネート、エチル−３−メトキシプロピオネート、エチル−３−エトキシプロピオネート、プロピル−３−メトキシプロピオネート等が挙げられる。
【００２０】
≪ケトン系溶剤≫
ケトン系溶剤は、エステル結合以外のカルボニル基（ケトン：−Ｃ（＝Ｏ）−）を有する有機溶剤である。
ケトン系溶剤としては、例えば、アセトン、１−ヘキサノン、２−ヘキサノン、４−ヘプタノン、２−ヘプタノン（メチルアミルケトン）、１−オクタノン、２−オクタノン、１−ノナノン、２−ノナノン、ジイソブチルケトン、メチルエチルケトン、メチルイソブチルケトン、アセチルアセトン、アセトニルアセトン、フェニルアセトン、アセトフェノン、メチルナフチルケトン、シクロヘキサノン（ＣＨＮ）、メチルシクロヘキサノン、イオノン、イソホロン、プロピレンカーボネート（炭酸プロピレン）、γ−ブチロラクトン（ＧＢＬ）、ジアセトニルアルコール、ジアセトンアルコール、アセチルカルビノール等が挙げられる。
【００２１】
≪エーテル系溶剤≫
エーテル系溶剤は、エステル結合以外のエーテル結合（−Ｏ−）を有する有機溶剤である。エーテル系溶剤としては、例えば、プロピレングリコールモノメチルエーテル（ＰＧＭＥ）、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、プロピレングリコールモノエチルエーテル、プロピレングリコールモノプロピルエーテル、プロピレングリコールモノブチルエーテル等のアルキレングリコールモノアルキルエーテル類；ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジプロピレングリコールモノメチルエーテル、ジプロピレングリコールモノエチルエーテル、ジプロピレングリコールモノプロピルエーテル等のエーテル基含有アルキレングリコールモノアルキルエーテル化合物等の多価アルコール部分エーテル類等が挙げられる。
【００２２】
≪アルコール系溶剤≫
アルコール系溶剤は、構造中にアルコール性水酸基を含む有機溶剤である。「アルコール性水酸基」は、脂肪族炭化水素基の炭素原子に結合した水酸基を意味する。
なお、本明細書において、アルコール系溶剤は、エステル系溶剤、ケトン系溶剤、エーテル系溶剤に含まれないものである。
アルコール系溶剤としては、例えば、メタノール、エタノール、ｎ−プロパノール、イソプロパノール（ＩＰＡ）、ｎ−ブタノール、ｓｅｃ−ブタノール、ｔ−ブタノール、ｎ−ペンタノール、４−メチル−２−ペンタノール（メチルイソブチルカルビノール）、２−メチルブチルアルコール等のモノアルコール類；エチレングリコール、ジエチレングリコール、プロピレングリコール、ジプロピレングリコールなどの多価アルコール類等が挙げられる。
【００２３】
≪ニトリル系溶剤≫
ニトリル系溶剤は、構造中にニトリル基（−Ｃ≡Ｎ）を含む有機溶剤である。
ニトリル系溶剤としては、例えば、アセトニトリル、プロピオ二トリル、バレロニトリル、ブチロ二トリル等が挙げられる。
【００２４】
≪アミド系溶剤≫
アミド系溶剤は、構造中にアミド基を含む有機溶剤である。
アミド系溶剤としては、例えば、Ｎ，Ｎ−ジメチルホルムアミド、Ｎ−メチルホルムアミド、Ｎ，Ｎ−ジメチルアセトアミド、Ｎ−メチルアセトアミド、Ｎ，Ｎ−ジエチルアセトアミド等が挙げられる。
【００２５】
≪スルホキシド系溶剤≫
スルホキシド系溶剤は、構造中に２つのアルキル基が結合したスルフィニル基（−Ｓ（＝Ｏ）−）を含む有機溶剤である。
スルホキシド系溶剤としては、例えば、ジメチルスルホキシド等が挙げられる。
【００２６】
≪炭化水素系溶剤≫
ヘキサン、ヘプタン、オクタン、ドデカン、シクロヘキサン、メチルシクロヘキサン、イソオクタン、水添トリイソブチレン等が挙げられる。
【００２７】
≪シリコーン系溶剤≫
オクタメチルシクロテトラシロキサン（Ｄ４）、デカメチルシクロペンタシロキサン（Ｄ５）、ヘキサメチルジシロキサン、オクタメチルトリシロキサン、ポリジメチルシロキサン（１ｃｓ、６ｃｓ等）等が挙げられる。
【００２８】
＜糖＞
本実施形態における糖として、具体的には、グルコース（ブドウ糖）、フルクトース（果糖）、ガラクトース、リボース等の単糖類；スクロース（ショ糖）、ラクトース（乳糖）、マルトース（麦芽糖）、イソマルトース、トレハロース等の二糖類；デンプン（アミロース、アミロペクチン）、デキストリン、セルロース、カラギーナン等の多糖類が挙げられる。
【００２９】
本実施形態における糖としては、上記の中でも、単糖又は二糖を含むことが好ましく、具体的には、グルコース、フルクトース、及びスクロースからなる群から選ばれる一種以上を含むことがより好ましく、スクロースを含むことがさらに好ましい。
【００３０】
本実施形態における微粒子懸濁液の糖の濃度は、１００ｍＭ以上であり、好ましくは１００ｍＭ〜１０００ｍＭである。
本実施形態における微粒子懸濁液の糖の濃度が上記範囲内であれば、コーヒーリング現象をより抑制することができる。
【００３１】
本実施形態における微粒子懸濁液全量に対する、微粒子の含有量は、好ましくは０．０１〜１体積％である。
本実施形態における微粒子懸濁液の微粒子の濃度が上記の好ましい範囲内であれば、コーヒーリング現象をより抑制することができる。
【００３２】
微粒子懸濁液を製造する方法としては、撹拌子又は撹拌翼等を回転させて混合する方法；ミキサー、三本ロール、ニーダー又はビーズミル等を使用して混合する方法；超音波を加えて混合する方法；容器中で加熱溶融させて乳化（混合）する方法等、公知の方法から適宜選択すればよい。
【００３３】
微粒子懸濁液を製造する際の各成分の配合順序は、特に限定されない。
各成分の配合時には、すべての成分を添加してからこれらを混合してもよいし、一部の成分を順次添加しながら混合してもよく、すべての成分を順次添加しながら混合してもよい。
【００３４】
配合時の温度は、各配合成分が劣化しない限り特に限定されず、例えば、配合成分の種類及び量に応じて、配合して得られた混合物が撹拌し易い粘度となるように、適宜調節できる。配合時の温度は、例えば、５〜２００℃であってもよいが、これは一例である。
配合時間も、各配合成分が劣化しない限り特に限定されず、例えば、１分〜２４時間であってもよいが、これは一例である。
【００３５】
本実施形態における微粒子懸濁液は、インク組成物であることが好ましい。なお、インク組成物とは、塗布対象物に色を付けるために用いられるものであって、顔料を含む微粒子懸濁液を意味する。
微粒子懸濁液がインク組成物である場合、微粒子としては、顔料と、溶媒としては、水と、糖とを含み、さらに、乾燥防止剤（ジエチレングリコール、ポリエチレングリコール、グリセリン、Ｎ−メチル−２−ピロリドン等）、浸透剤（アルコール系溶剤等）、樹脂（アクリル系ブロック共重合体等）、添加剤（ｐＨ調整剤、キレート化剤、界面活性剤、防菌・防カビ剤等）等が含まれていてもよい。
また、インク組成物としては、食品、薬品等に使用される可食インク組成物であってもよい。
本実施形態における微粒子懸濁液は、顔料を含む一般的なインク組成物に、糖を添加し、糖の濃度を１００ｍＭ以上としたものであってもよい。
【００３６】
［工程（ｉｉ）］
工程（ｉｉ）は、上述した微粒子懸濁液を塗布対象物に塗布する工程である。
【００３７】
塗布対処物としては、上質紙、アート紙、コート紙、キャスト塗被紙、箔紙、クラフト紙、バライタ紙、含浸紙、蒸着紙等の紙類；クッキー、せんべい、マシュマロ等の食品；錠剤等の医薬品；ファンデーション、アイシャドウ等の化粧品；ポリイミド樹脂、ポリアミドイミド樹脂、ポリアミド樹脂、ポリエチレンテレフタレート樹脂、ポリエチレンナフタレート樹脂、ポリカーボネート樹脂、アクリロニトリル−ブタジエン−スチレン（ＡＢＳ）樹脂、ポリ（メタ）アクリル酸メチル等のアクリル樹脂、ポリフッ化ビニリデン樹脂、ポリ塩化ビニル樹脂、ポリ塩化ビニリデン樹脂、ポリビニルアルコール樹脂、ポリカーボネート樹脂、ポリエチレン樹脂、ポリプロピレン樹脂、ウレタン樹脂、液晶ポリマー（ＬＣＰ）、ポリエーテルエーテルケトン（ＰＥＥＫ）樹脂、ポリフェニレンスルフィド（ＰＰＳ）樹脂、ポリフェニレンスルホン（ＰＰＳＵ）樹脂等の樹脂類；電子部品用の基板（シリコンウェーハ、銅、クロム、鉄、アルミニウム等の金属製の基板や、ガラス基板等）や、これに所定の配線パターン（配線パターンの材料としては、例えば、銅、アルミニウム、ニッケル、金等）が形成されたもの等が挙げられる。
【００３８】
上述した微粒子懸濁液を塗布対象物に塗布する方法としては、スピンコート法、ドロップキャスト法、ディップコート法、バーコート法、ブレードコート法、スリットコート法、ダイコート法、スプレー法、凸版印刷法（樹脂凸版印刷、フレキソ印刷等）、平板印刷法（オフセット印刷法、ドライオフセット印刷法、パッド印刷法等）、凹版印刷法（グラビア印刷法等）、孔版印刷法（シルクスクリーン印刷法、謄写版印刷法、リングラフ印刷法等）、インクジェット印刷法、マイクロコンタクトプリント法等が挙げられる。
上記の中でも、インクジェット印刷法が好ましい。
【００３９】
［工程（ｉｉｉ）］
工程（ｉｉｉ）は、上述した塗布された微粒子懸濁液を乾燥させる工程である。
乾燥方法としては、特に限定されず、自然に乾燥させる方法、温風を吹き付けて乾燥させる方法等が挙げられる。
【００４０】
本実施形態の微粒子乾燥パターンの形成方法は、当該微粒子懸濁液が、適度な濃度の糖となるように微粒子懸濁液を製造する工程を含むため、コーヒーリング現象を抑制することができる。これは、微粒子懸濁液の塗布後、乾燥する際に、コーヒーリング現象の原因となる液滴中心から外縁方向への溶媒の流れを、乾燥に伴い析出した糖が抑制し、かつ、析出した糖と微粒子とが固体化されることにより、均一なパターンが形成されるためであると推測される。
【００４１】
（コーヒーリング現象が抑制された微粒子乾燥パターンを形成するための微粒子懸濁液）
本発明の第２の態様は、微粒子と溶媒と糖とを含み、前記糖の濃度が、１００ｍＭ以上である、コーヒーリング現象が抑制された微粒子乾燥パターンを形成するための微粒子懸濁液である。
【００４２】
本発明の第２の態様の微粒子懸濁液は、本発明の第１の態様の工程（ｉ）で説明した微粒子懸濁液と同様の内容である。
【００４３】
本実施形態の微粒子懸濁液は、インク組成物であることが好ましい。なお、インク組成物とは、塗布対象物に色を付けるために用いられるものであって、顔料を含む微粒子懸濁液を意味する。
微粒子懸濁液がインク組成物である場合、微粒子としては、顔料と、溶媒としては、水と、糖とを含み、さらに、乾燥防止剤（ジエチレングリコール、ポリエチレングリコール、グリセリン、Ｎ−メチル−２−ピロリドン等）、浸透剤（アルコール系溶剤等）、樹脂（アクリル系ブロック共重合体等）、添加剤（ｐＨ調整剤、キレート化剤、界面活性剤、防菌・防カビ剤等）等が含まれていてもよい。
また、インク組成物としては、食品、薬品等に使用される可食インク組成物であってもよい。
本実施形態の微粒子懸濁液は、顔料を含む一般的なインク組成物に、糖を添加し、糖の濃度を１００ｍＭ以上としたものであってもよい。
【００４４】
本実施形態の微粒子懸濁液は、適度な濃度の糖を含有するため、コーヒーリング現象を抑制することができる。
【００４５】
（微粒子乾燥パターンにおけるコーヒーリング現象を抑制する方法）
本発明の第３の態様は、微粒子懸濁液を塗布対象物に塗布する工程と、前記塗布された微粒子懸濁液を乾燥させる工程とを含む、微粒子乾燥パターンの形成方法において、前記微粒子乾燥パターンにおけるコーヒーリング現象を抑制する方法であって、前記微粒子懸濁液が１００ｍＭ以上の糖を含有するように調製する工程を含む、微粒子乾燥パターンにおけるコーヒーリング現象を抑制する方法である。
【００４６】
本発明の第３の態様における微粒子懸濁液は、本発明の第１の態様の工程（ｉ）で説明した微粒子懸濁液と同様の内容である。
【００４７】
本実施形態のコーヒーリング現象を抑制する方法は、適度な濃度の糖を含有するように調製する工程を含むため、コーヒーリング現象を抑制することができる。
【実施例】
【００４８】
以下、具体的実施例により、本発明についてより詳細に説明する。ただし、本発明は、以下に示す実施例に、何ら限定されるものではない。
【００４９】
（比較例１）
コーヒーフィルターにコーヒー粉末を２０ｇ加え、そこに８０℃の水を２４０ｍｌ加え、微粒子懸濁液１（コーヒー）を得た。得られた微粒子懸濁液１（コーヒー）をセラミックプレートに０．５μＬ滴下し、室温（２５℃程度）で乾燥させ、微粒子乾燥パターン１を得た。
【００５０】
（実施例１）
コーヒーフィルターにコーヒー粉末を２０ｇ加え、そこに８０℃の水を２４０ｍｌ加え、コーヒーを得た。得られたコーヒー６０ｍｌに対して、糖（商品名：グラニュ糖、９７．８％スクロース、日新製糖社製）を４ｇ加え、スクロースの濃度が、約２００ｍＭの微粒子懸濁液２を得た。得られた微粒子懸濁液２をセラミックプレートに０．５μＬ滴下し、室温（２５℃程度）で乾燥させ、微粒子乾燥パターン２を得た。
【００５１】
（微粒子乾燥パターンの評価１）
上記微粒子乾燥パターン１及び２をデジタルカメラ（商品名：ＮＹ−Ｘ６ｉ、キヤノン社製）を備えた顕微鏡（商品名：ＳＺＸＶ、オリンパス社製）を用いて、観察し、コーヒーリング現象が発生しているか評価した。
上記デジタルカメラにより取得した画像を図１（ａ）及び図１（ｂ）に示す。
【００５２】
図１（ａ）に示すように、比較例１の微粒子乾燥パターンの形成方法では、コーヒーリング現象が発生してしまった。
図１（ｂ）に示すように、実施例１の微粒子乾燥パターンの形成方法では、コーヒーリング現象が発生しなかった。
【００５３】
（比較例２）
蛍光ポリエチレン粒子分散液（ｉｎｖｉｔｒｏｇｅｎ社製）を、２５℃で１５分間、３０００ｘｇで遠心分離し、上澄み液をＭｉｌｌｉ−Ｑ（１８．２ＭΩ・ｃｍ）と交換して界面活性剤を除去した。この手順を３回繰り返し、微粒子の含有量が０．０１体積％の微粒子粒子懸濁液３（蛍光ポリエチレン粒子懸濁液）を得た。
その後、微粒子懸濁液３をソーダ石灰ガラスに０．５μＬ滴下し、室温（２５℃程度）で乾燥させ、微粒子乾燥パターン３を得た。
【００５４】
（実施例２）
上記同様の方法により、微粒子粒子懸濁液３を得た。
その後、微粒子粒子懸濁液３に、糖（商品名：グラニュ糖、９７．８％スクロース、日新製糖社製）を加え、混合し、スクロースの濃度が、約２００ｍＭの微粒子懸濁液４を得た。
その後、微粒子懸濁液４をソーダ石灰ガラスに０．５μＬ滴下し、室温（２５℃程度）で乾燥させ、微粒子乾燥パターン４を得た。
【００５５】
（微粒子乾燥パターンの評価２）
上記微粒子乾燥パターン３及び４について、共焦点レーザー顕微鏡システム（商品名：Ａ１ＨＤ２５、ニコン社製）を用いて、観察し、コーヒーリング現象が発生しているか評価した。
上記共焦点レーザー顕微鏡システムにより取得した画像を図１（ｃ）及び図１（ｄ）に示す。
【００５６】
図１（ｃ）に示すように、比較例２の微粒子乾燥パターンの形成方法では、コーヒーリング現象が発生してしまった。
図１（ｄ）に示すように、実施例２の微粒子乾燥パターンの形成方法では、コーヒーリング現象が発生しなかった。
【００５７】
（試験例１）
上記同様の方法により、微粒子粒子懸濁液３を得た。微粒子粒子懸濁液３に糖（商品名：グラニュ糖、９７．８％スクロース、日新製糖社製）をそれぞれ加え、混合し、スクロースの濃度が、０．０１、０．１、１、１０、１００、１０００ｍＭの微粒子懸濁液をそれぞれ得た。その後、前記微粒子懸濁液をそれぞれソーダ石灰ガラスに０．５μＬ滴下し、室温（２５℃程度）で乾燥させ、それぞれの微粒子乾燥パターンを得た。
【００５８】
（微粒子乾燥パターンの評価３）
試験例１で得たそれぞれの微粒子乾燥パターンを共焦点レーザー顕微鏡システム（商品名：Ａ１ＨＤ２５、ニコン社製）を用いて、観察し、コーヒーリング現象が発生しているか評価した。
上記共焦点レーザー顕微鏡システムにより取得した画像を図２に示す。
【００５９】
図２に示すように、スクロースの濃度が、０．０１、０．１、１、１０ｍＭの微粒子懸濁液を用いた、微粒子乾燥パターンの形成方法では、コーヒーリング現象が発生してしまった。
一方で、スクロースの濃度が、１００、１０００ｍＭの微粒子懸濁液を用いた、微粒子乾燥パターンの形成方法では、コーヒーリング現象が発生しなかった。
【００６０】
本発明によれば、安全性が高く、低コストでコーヒーリング現象を抑制することのできる微粒子乾燥パターンの形成方法を提供することができる。
【図１】
2020143203.tif 000003
【図２】
2020143203.tif 000004